(57)【要約】【課題】  どのような環境下であっても、被測定者のリラックス効果を生じさせ、血圧測定の信頼性を向上することができる血圧計を提供する。【解決手段】  カフ圧力の変化に伴う動脈拍動による動脈壁の振動に基づいて血圧を測定する血圧計１０であって、血圧が測定される患者に巻き付けられ加圧されるカフ部１９と、香り発生源を有する香り発生部１８と、カフ部１９に空気を送ってカフ部１９内の圧力を高める第１のエアチューブ１４と、第１のエアチューブ１５とは独立して設けられ、記香り発生部１８に空気を送る第２のエアチューブ１５とを有する。気球１３は、第１エアチューブ１４を通ってカフ部１９に空気を供給する第１気球部１３ａと、第１気球部１３ａと一体的に形成され、第２エアチューブ１３ｂに空気を供給する第２気球部１３ｂとを有する。【選択図】  図２
2011183012.tif 000002
【特許請求の範囲】
【請求項１】
カフ圧力の変化に伴う動脈拍動による動脈壁の振動に基づいて血圧を測定する血圧計であって、
前記血圧が測定される患者に巻き付けられ加圧されるカフ部と、
香り発生源を有する香り発生部と、
前記カフ部に空気を送って前記カフ部内の圧力を高める第１経路と、
前記第１経路とは独立して設けられ、前記香り発生部に空気を送る第２経路と、
を有することを特徴とする血圧計。
【請求項２】
前記第２経路は、前記第１経路よりも経路が狭まる狭窄部を有することを特徴とする請求項１に記載の血圧計。
【請求項３】
前記香り発生部は、
前記香り発生源となる香り含有層と、
前記香り含有層の下層に設けられ、前記第２経路から導入された空気を拡散して前記香り含有層に導く拡散領域と、
を有することを特徴とする請求項１から請求項２のいずれかに記載の血圧計。
【請求項４】
前記香り発生部は、前記第２経路を通って供給された空気によってスリットが開口する表面を有することを特徴とする請求項１から請求項３のいずれかに記載の血圧計。
【請求項５】
前記香り発生部は、前記第２経路を通って供給された空気が互い違いに配置された複数の表面層間を通って香りを外部へ放出する表面を有することを特徴とする請求項１から請求項３のいずれかに記載の血圧計。
【請求項６】
手動にて操作され、圧力をかけることにより前記カフ部と前記香り発生部に同時に空気を供給する気球をさらに有し、
前記気球は、
前記第１経路を通って前記カフ部に空気を供給する第１気球部と、
前記第１気球部と一体的に形成され、前記第２経路に空気を供給する第２気球部とを有することを特徴とする請求項１から請求項６に記載の血圧計。  
【発明の詳細な説明】
【技術分野】
【０００１】
本発明は、家庭や医療機関等において被測定者の血圧を測定するために用いられる血圧計に関する。
【背景技術】
【０００２】
従来、この種の血圧計では、被測定者の上腕の内部に位置する動脈を圧迫するため気体や液体等が注入される流体袋を内包する腕帯（カフ）を上腕の表面に巻き付け、巻き付けた流体袋を膨張・収縮させることによって動脈内に生じる動脈圧脈波の検出を行う。これによって、被測定者の血圧が測定される。
【０００３】
このような血圧計において、心拍数に応じて視覚、聴覚、臭覚などに刺激を与えて気持ちを鎮め、心拍数を減少させて血圧を測定するというものが提案されている（特許文献１参照）。
【０００４】
【特許文献１】特開２００７−１２５３３６号公報
【発明の開示】
【発明が解決しようとする課題】
【０００５】
ところで、従来の血圧計により血圧を測定する際、血圧が緊張やリラックスの程度によって変動し、1日のうちでも、ちょっとしたことで大きく変動することから、本来の血圧が測定されない恐れがある。例えば、病院で血圧を測定する際、患者が緊張し、実際の血圧より高く測定され、測定結果の信頼性を低下させる。従って、血圧測定は、リラックスできる環境下でゆったりした気分の時に行うことが望まれる。
【０００６】
また、特許文献１に記載の血圧計では、血圧の測定時に心拍数も測定しなければならず、別の特別な装置が必要となり、また心拍数に応じて、視覚、聴覚、嗅覚などのいろいろな刺激が与えられるため、被測定者が真にリラックスできる状態ではないという問題があった。
【０００７】
そこで、本発明は、上記の問題点に鑑みなされたものであって、どのような環境下であっても、被測定者のリラックス効果を生じさせ、血圧測定の信頼性を向上することができる血圧計を提供することを目的とする。
【課題を解決するための手段】
【０００８】
上記課題を解決するために、本発明は、カフ圧力の変化に伴う動脈拍動による動脈壁の振動に基づいて血圧を測定する血圧計であって、前記血圧が測定される患者に巻き付けられ加圧されるカフ部と、香り発生源を有する香り発生部と、前記カフ部に空気を送って前記カフ部内の圧力を高める第１経路と、前記第１経路とは独立して設けられ、前記香り発生部に空気を送る第２経路と、を有することを特徴とする。本発明の構成によれば、香り発生部からリラックスする香りを発生させることで、どのような環境下であっても、被測定者のリラックス効果を生じさせることができる。これによって、血圧測定の信頼性を向上することができる血圧計を提供することができる。
【０００９】
また、本発明の血圧計は、手動にて操作され、圧力をかけることにより前記カフ部と前記香り発生部に同時に空気を供給する気球をさらに有し、前記気球は、  前記第１経路を通って前記カフ部に空気を供給する第１気球部と、前記第１気球部と一体的に形成され、前記第２経路に空気を供給する第２気球部とを有する。本発明の構成によれば、カフ部を加圧するのと同時に香りを発生させることができ、操作性が向上する。
【００１０】
また、上記構成において、前記第２経路は、前記第１経路よりも経路が狭まる狭窄部を有する。本発明によれば、第２経路に空気抵抗を与えることでカフ部に効率よくエアーを供給できる。
【００１１】
また、上記構成において、前記香り発生部は、前記香り発生源となる香り含有層と、前記香り含有層の下層に設けられ、前記第２経路から導入された空気を拡散して前記香り含有層に導く拡散領域とを有する。本発明によれば、香り含有層に空気を均一に送ることができ、香り発生部全体から香りを発生させることができる。
【００１２】
また、上記構成において、前記香り発生部は、前記第２経路を通って供給された空気によってスリットが開口する表面を有する。本発明によれば、不使用時には香りを外に逃がすことなく、使用時にのみ香りを発生させることができる。
【００１３】
また、上記構成において、前記香り発生部は、前記第２経路を通って供給された空気が互い違いに配置された複数の表面層間を通って香りを外部へ放出する表面を有する。本発明によれば、不使用時には香りを外に逃がすことなく、使用時にのみ香りを発生させることができる。
【発明の効果】
【００１４】
本発明によれば、どのような環境下であっても、被測定者のリラックス効果を生じさせ、血圧測定の信頼性を向上することができる血圧計を提供することができる。
【図面の簡単な説明】
【００１５】
【図１】本発明の一実施の形態に係る血圧計の斜視図である。
【図２】本発明の実施形態に係るカフと加圧ゴム気球の構成を示す図である。
【図３】本発明の実施形態に係る加圧ゴム気球とエアチューブの構成を示す図である。
【図４】本実施形態に係る香り発生部の構成を示す断面図である。
【図５】本実施形態に係る香り発生部の分解斜視図である。
【図６】本実施形態に係る香りビーズの構成を説明する図である。
【図７】本実施形態に係る香り発生部の表面の構成を示す図であって、（ａ）は正面図、（ｂ）は（ａ）のＡ−Ａ断面図である。
【図８】カフが膨らんで、表面のスリットの間隔が開いた状態を示す図である。
【図９】本実施形態に係る香り発生部の表面の他の例を示す図であって、（ａ）は正面図、（ｂ）は（ａ）のＡ−Ａ断面図である。
【図１０】空気が供給された表面の状態を示す図である。
【図１１】本発明の他の実施形態に係る血圧計の概観斜視図である。
【図１２】本発明の他の実施形態に係る血圧計のブロック図である。
【発明を実施するための最良の形態】
【００１６】
以下、本発明に係る好適な実施の形態について、図面を参照しながら詳細に説明する。
【００１７】
図１は、本発明の血圧計の一実施の形態の構成を示す斜視図である。図１に示すように、血圧計１０は、カフ圧力の変化に伴う動脈拍動による動脈壁の振動に基づいて血圧を測定するものである。この血圧計１０は、血圧計本体１１と、血圧が測定される患者に巻き付けられ、天然ゴム、合成ゴムおよびエラストマー等の可撓性材料で形成されたカフ１２と、握るおよび緩めるの動作を繰り返すことにより、血圧計本体１１内部の配管を経由してカフ１２にエアーを送り込む加圧ゴム気球１３とから構成されている。血圧計本体１１の表面部には、電源スイッチ等の操作部１６および血圧値、脈拍、測定モード等が表示される表示部１７が設けられている。
【００１８】
図２は、本発明の実施形態に係るカフの構成を示す図である。図３は、本発明の実施形態に係る加圧ゴム気球とエアチューブの構成を示す図である。図２に示すように、カフ１２は、天然ゴム、合成ゴム、エラストマー等の可撓性材料で形成され、空気袋を内蔵し加圧されるカフ部１９、および巻きつけ固定部２０を有する。また、カフ部１９および巻きつけ固定部２０は、カフカバー２１で覆われ、カフカバー２１のカフ部１９の表面側（図面上面側）とカフカバー２１の巻きつけ固定部２０の裏面側（図面下面側）には、図示しない互いに固定可能な面ファスナーが設けられ、カフ１２の腕からの着脱を可能にしている。
図２に示すカフは、図面上面側を表側とし、カフ部１９の図面下面側を上腕部に面してカフを巻き付けて使用する。
【００１９】
また、カフ１２は、香り発生源を有する香り発生部１８が設けられている。この香り発生部１８は、カフ１２の表面側であって、患者の腕に巻きつけられたときに患者の顔の方向を向く位置に配置されるのが好ましい。
さらに、香り発生部１８の下面には、図示しない面ファスナーが設けられ、カフ１２から香り発生部１８の脱着が可能となっている。
【００２０】
図１〜図３に示すように、血圧計本体１１とカフ１２、および血圧計本体１１と加圧ゴム気球１３とは可撓性の第１のエアチューブ（第１経路）１４と第２のエアチューブ（第２経路）１５とを介して連通されている。第１のエアチューブ１４は、カフ部１９に空気を送ってカフ部１９内の圧力を高める。第２のエアチューブ１５は、第１のエアチューブ１４とは独立して設けられ、香り発生部１８に空気を送るものである。
【００２１】
加圧ゴム気球１３は、手動にて操作され、圧力をかけることによりカフ部１９と香り発生部１８に同時に空気を供給するものである。この加圧ゴム気球１３は、第１のエアチューブ１４を通ってカフ部１９に空気を供給するカフ用気球部１３ａと、第２のエアチューブ１５に空気を供給する香り用気球部１３ｂとが一体的に形成されている。カフ用気球部１３ａには空気が入る入口部１３ａ１と空気が出る出口部１３ａ２が設けられ、香り用気球部１３ｂには空気が入る入口部１３ｂ１と空気が出る出口部１３ｂ２が設けられている。各入口部１３ａ１、１３ｂ１、出口部１３ａ２、１３ｂ２には弁が設けられている。加圧ゴム気球１３からのエアーは、第１のエアチューブ１４を経由してカフ部１９に送り込まれ、第２のエアチューブ１５を経由して香り発生部１８に送り込まれる。
【００２２】
図３に示すように、第２のエアチューブ１５の途中位置には、第１のエアチューブ１４よりもチューブ径を縮径した経路が狭まっており、エアー流量を制御する狭窄部２３が形成されている。これにより、第１のエアチューブ１４のエアー圧の低下を防ぎ、カフ部１９に効率よくエアー供給ができるようになっている。
【００２３】
図４は、本実施形態に係る香り発生部の構成を示す断面図である。図５は、本実施形態に係る香り発生部の分解斜視図である。図６は、本実施形態に係る香りビーズの構成を説明する図である。
【００２４】
図４及び図５に示すように、香り発生部１８は、ケース内に、メッシュ層２６、香り発生源となる香り含有層２７、シート２８が順次積層されている。香り発生部１８に、第２のエアチューブ１５が接続され、エアーが流入される硬質のエアー流入口２９が突設されている。香り含有層２７とメッシュ層２６の下層には、第２のエアチューブ１５から導入された空気を拡散して香り含有層２７に導く拡散領域２５が設けられている。
【００２５】
メッシュ層２６は、第２のエアチューブ１５に接続されたエアー流入口２９より送出されるエアーを拡散させ、香り含有層２７にエアーを均一に導入するようになっている。香り含有層２７は、複数の円柱状の香りビーズ３０を径方向に一列状に接続したものであり、可撓性を有する（図６参照）。また、香りビーズ３０は、多孔質担体に香料を包埋したものである。香料には、例えば、シトラール（シトラス系）、シトロネリルニトリル、シトラルバ等を使用することができる。シート２８の中央付近には香りの出口となる表面２２が設けられている。
香り発生部１８は、第２のエアチューブ１５と着脱自在に構成されているので、使用者個人の好みに合った香りを設定できる。
【００２６】
図７は本実施形態に係る香り発生部の表面の構成を示す図であって、（ａ）は正面図、（ｂ）は（ａ）のＡ−Ａ断面図である。図８は、カフ１２が膨らんで、表面２２のスリット３１の間隔が開いた状態を示す図である。
【００２７】
図７に示すように、表面２２には、複数のスリット３１が所定間隔で平行に形成され、通常、スリット３１が閉じていて、エアーの通過を防いでいる。血圧測定時にカフ部１９が加圧され膨らむことによって撓み、図８に示すように、第２のエアチューブ１５を通って供給された空気によってスリット３１が開口し、エアーが通過するようになっている。
【００２８】
次に、本発明の実施形態に係る香り発生部の他の例について説明する。図９は本実施形態に係る香り発生部の表面の他の例を示す図であって、（ａ）は正面図、（ｂ）は（ａ）のＡ−Ａ断面図である。図１０は、第２のエアチューブを通って空気が供給された表面の状態を示す図である。
【００２９】
表面３５には、スリット３２ａが形成された第１の表面層３２と、第１の表面層３２に表面側に設けられ、スリット３３ａが形成された第２の表面層３３とが設けられている。第１の表面層３２と第２の表面層３３は、互いのスリットの位置がずれるように互い違いに配置されており、第２のエアチューブ１５を通って供給された空気が、互い違いに配置された複数の表面層３２、３３間を通って香りを外部へ放出する。
【００３０】
上記実施形態によれば、香り発生部１８よりリラックスする香りを発生させることで、どのような環境下であっても、被測定者のリラックス効果を生じさせることができる。これによって、血圧測定の信頼性を向上することができる。また、加圧ゴム気球１３を操作することにより、カフ部１９を加圧するのと同時に香り発生部１８から香りを発生させることができ、操作性が向上する。また、第２のエアチューブ１５には狭窄部２３が形成されているため、カフ部１９に効率よくエアーを供給できる。さらに、香り含有層２７の下層には、導入された空気を拡散する拡散領域２５が形成されているため、香り含有層に空気を均一に送ることができ、香り発生部１８全体から香りを発生させることができる。
【００３１】
次に、本発明の他の実施形態について説明する。図１１は、本発明の他の実施形態に係る血圧計の概観斜視図である。図１２は、本発明の他の実施形態に係る血圧計のブロック図である。
【００３２】
図１１及び図１２に示すように、血圧計４０は、カフ圧力の変化に伴う動脈拍動による動脈壁の振動に基づいて血圧を測定するものである。カフ部４２は、上記実施形態のカフ部１９の左右を結合させたような管状となっており、血圧が測定される患者の腕が挿入されて加圧される。香り発生部１８０は、血圧計４０の表面に配置され、上記実施形態と同様に、香り発生源と、表面１２２とを有する。表面１２２は上記実施形態と同様の構成にて実現することができる。
【００３３】
この血圧計４０は、電力を供給する電源５１、起動／停止を行うオン／オフスイッチや各種機能に関する操作を行うための操作部５３、複数回分の血圧測定値やその測定時刻データなどを記憶する不揮発性メモリなどの記憶部５２、リモコンユニット６０や外部機器との間で赤外線や電波（例えば、Bluetooth）を用いた無線通信を可能とする通信部５４、リモコンユニット６０と通信線５６を介して電気的に接続可能なコネクタ６９を備え、これら各要素がマイクロコンピュータ５７に接続されている。
【００３４】
また、血圧計４０は、カフ部４２に空気を送ってカフ部４２内の圧力を高める第１のエアチューブ１４１と、第１のエアチューブ１４１とは独立して設けられ、香り発生部１８０に空気を送る第２のエアチューブ１５１とを有する。血圧計４０は、第１のエアチューブ１４１を通って血圧測定開始時にカフ部４２に加圧空気を供給するカフ加圧エアポンプ５９と、第２のエアチューブ１５１に空気を供給する香り発生部用加圧エアポンプ５８とを有する。  
【００３５】
また、血圧計４０は、カフ部４２の圧力を一定の速度で減圧する排気弁及び加圧エアーの圧力を一定圧或いは急速排気により調整する排気弁６６、カフの圧力変動から血管の振動を検知する圧力センサ６１、血流音を検知するマイク部６７などを備える。そして、圧力センサ６１の検知信号はフィルタ／アンプ部６２、マイク部６７の検知信号はフィルタ／アンプ部６３で夫々ノイズ成分のフィルタリングやフィルタリング後の信号成分を増幅してマイクロコンピュータ５７に入力される。
【００３６】
リモコンユニット６０は、電力を供給する電源６１、外部接続部６２、血圧計４０の起動／停止を行うオン／オフスイッチや各種機能に関する操作を行うための操作部６３、最高／最低血圧測定値、脈拍、時刻などを表示する液晶表示器などの表示部６４、複数回分の血圧測定値やその測定時刻データなどを記憶する不揮発性メモリの記憶部６６、赤外線や電波を用いた無線通信を可能とする通信部６５、血圧計４０と通信線５６を介して電気的に接続可能なコネクタ６８を備え、これら各要素がマイクロコンピュータ６７に接続されている。
【００３７】
本実施形態によれば、香り発生部用加圧エアポンプ５８から第２のエアチューブ１５１を介して香り発生部１８０からリラックスする香りを発生させることで、どのような環境下であっても、被測定者のリラックス効果を生じさせることができる。これによって、血圧測定の信頼性を向上することができる。
【００３８】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００３９】
１０,４０  血圧計
１２  カフ
１３  加圧ゴム気球
１４,１４１  第１のエアチューブ
１５,１５１  第２のエアチューブ
１８,１８０  香り発生部
１９  カフ部
２２，３５，１２２  表面  
２３  狭窄部
２５  拡散領域
２６  メッシュ層
２７  香り含有層
３１  スリット
【図１】
2011183012.tif 000003
【図２】
2011183012.tif 000004
【図３】
2011183012.tif 000005
【図４】
2011183012.tif 000006
【図５】
2011183012.tif 000007
【図６】
2011183012.tif 000008
【図７】
2011183012.tif 000009
【図８】
2011183012.tif 000010
【図９】
2011183012.tif 000011
【図１０】
2011183012.tif 000012
【図１１】
2011183012.tif 000013
【図１２】
2011183012.tif 000014